(57)【要約】【課題】画像形成装置への電源供給が開始された時に結露解消動作を実行するか否かを判断することができる画像形成装置を提供する。【解決手段】画像形成装置１００は、外部の温度を検出する温度検出手段３０９と、データを保存する不揮発性の記憶部３１３と、温度検出手段の検出結果に基づいて画像形成装置の内部に発生した結露を解消させる結露解消動作を実行する制御手段３０１と、を備え、制御手段は、結露解消動作の実行中に画像形成装置への電源供給が停止されるときに実行されていた結露解消動作の実行時間を記憶部に保存し、画像形成装置への電源供給が開始された時に、結露解消動作の実行中に画像形成装置への電源供給が停止された時から画像形成装置への電源供給が開始された時までの電源供給停止継続時間と実行時間とに基づいて結露解消動作を実行するか否かを判断する。【選択図】図５
2020008771.tif 000002
【特許請求の範囲】
【請求項１】
画像形成装置であって、
記録媒体に画像を形成する画像形成部と、
前記画像形成装置の外部の温度を検出する温度検出手段と、
データを保存する不揮発性の記憶部と、
前記温度検出手段の検出結果に基づいて前記画像形成装置の内部に発生した結露を解消させる結露解消動作を実行する制御を行う制御手段と、
を備え、
前記制御手段は、前記結露解消動作の実行中に前記画像形成装置への電源供給が停止される場合、前記電源供給が停止されるときに実行されていた前記結露解消動作の実行時間を前記記憶部に保存し、
前記制御手段は、前記結露解消動作の実行中に前記画像形成装置への前記電源供給が停止された後で前記画像形成装置への前記電源供給が開始された場合、前記結露解消動作の実行中に前記画像形成装置への前記電源供給が停止された時から前記画像形成装置への前記電源供給が開始された時までの電源供給停止継続時間と前記実行時間とに基づいて前記結露解消動作を実行するか否かを判断することを特徴とする画像形成装置。
【請求項２】
ファクシミリ送受信手段を更に備え、
前記制御手段は、前記結露解消動作として前記ファクシミリ送受信手段から受信したデータを前記記憶部に保存する動作を実行することを特徴とする請求項１に記載の画像形成装置。
【請求項３】
前記画像形成装置の前記内部の環境を均一化する環境均一化手段を更に備え、
前記制御手段は、前記結露解消動作として前記環境均一化手段を駆動する動作を実行することを特徴とする請求項１又は２に記載の画像形成装置。
【請求項４】
前記制御手段は、前記実行時間と前記電源供給停止継続時間との合算値に基づいて前記結露解消動作を実行するか否かを判断することを特徴とする請求項１乃至３のいずれか一項に記載の画像形成装置。
【請求項５】
前記制御手段は、前記実行時間に重み付けをして修正実行時間を算出し、
前記制御手段は、前記修正実行時間と前記電源供給停止継続時間との合算値に基づいて前記結露解消動作を実行するか否かを判断することを特徴とする請求項１乃至３のいずれか一項に記載の画像形成装置。
【請求項６】
前記記憶部は、前記結露解消動作を実行せずに前記結露を自然に解消させるために必要な結露自然解消時間と、前記結露解消動作を実行することによって前記結露を解消させるために必要な結露強制解消時間とを保存しており、
前記制御手段は、前記結露自然解消時間と前記結露強制解消時間との比率に基づいて前記実行時間に重み付けをして前記修正実行時間を算出することを特徴とする請求項５に記載の画像形成装置。
【請求項７】
時刻を取得する時刻取得手段を更に備え、
前記制御手段は、前記結露解消動作が開始された時に前記時刻取得手段によって取得された開始時刻と前記結露解消動作の実行中に前記電源供給が停止される時に前記時刻取得手段によって取得された停止時刻とに基づいて前記実行時間を算出することを特徴とする請求項１乃至６のいずれか一項に記載の画像形成装置。
【請求項８】
前記制御手段は、前記電源供給が停止される時に前記実行時間および前記停止時刻を前記記憶部に保存し、
前記制御手段は、前記電源供給が開始される時に前記時刻取得手段によって取得された再開始時刻と前記停止時刻とに基づいて前記電源供給停止継続時間を算出することを特徴とする請求項７に記載の画像形成装置。
【発明の詳細な説明】
【技術分野】
【０００１】
本発明は、結露解消動作を実行する画像形成装置に関する。
【背景技術】
【０００２】
冬場の朝のように冷え切った部屋に設置された画像形成装置は、環境温度の低下に合わせて画像形成装置内の温度も低下する。画像形成装置内の温度が低下した状態で暖房器具によって外気温度が急激に上昇すると、暖まった空気が画像形成装置内へ流れ込む。暖まった空気は、例えば、感光ドラム、露光装置のポリゴンミラー等の冷え切った部材に触れて冷却される。暖まった空気が冷え切った部材によって急激に冷却されるので、温度変化に伴う飽和水蒸気量の変化から、部材の表面に結露による水滴が付着する。感光ドラム又はポリゴンミラーに結露が生じると、レーザービームによる感光ドラム上への静電潜像形成工程に支障が生じ、画像不良が発生するという問題がある。そこで、特許文献１は、画像形成装置がスリープモード中の場合、画像形成装置を定期的に起動して温度監視を行い、結露が発生したか否かを検出し、結露発生時は画像形成装置内のエージング動作を行って結露を早期に解消することを開示している。
【先行技術文献】
【特許文献】
【０００３】
【特許文献１】特開２００９−２６５４３１号公報
【発明の概要】
【発明が解決しようとする課題】
【０００４】
特許文献１のようにスリープモード中に定期的に機外温度を検出して結露が発生したか否かを検出する場合、画像形成装置の電源は、ＯＮ状態のままにしておく必要がある。しかし、例えば、ユーザがプリントジョブを実行するために画像形成装置をスリープモードから通常モードへ復帰させたときにエージング動作が発生してプリントジョブを実行できない場合、ユーザは、エージング動作中に電源をＯＦＦすることがある。その後、電源がＯＮされた直後に結露状態が判断できないため、エージング動作を継続するか否かの判断ができない。このように、従来の技術においては、画像形成装置の電源状態によっては結露状態の正しい判断及びエージング動作の正常な実行を行うことができないという問題がある。
【０００５】
そこで、本発明は、画像形成装置への電源供給が開始された時に結露解消動作を実行するか否かを判断することができる画像形成装置を提供する。
【課題を解決するための手段】
【０００６】
本発明の一実施例による画像形成装置は、
記録媒体に画像を形成する画像形成部と、
前記画像形成装置の外部の温度を検出する温度検出手段と、
データを保存する不揮発性の記憶部と、
前記温度検出手段の検出結果に基づいて前記画像形成装置の内部に発生した結露を解消させる結露解消動作を実行する制御を行う制御手段と、
を備え、
前記制御手段は、前記結露解消動作の実行中に前記画像形成装置への電源供給が停止される場合、前記電源供給が停止されるときに実行されていた前記結露解消動作の実行時間を前記記憶部に保存し、
前記制御手段は、前記結露解消動作の実行中に前記画像形成装置への前記電源供給が停止された後で前記画像形成装置への前記電源供給が開始された場合、前記結露解消動作の実行中に前記画像形成装置への前記電源供給が停止された時から前記画像形成装置への前記電源供給が開始された時までの電源供給停止継続時間と前記実行時間とに基づいて前記結露解消動作を実行するか否かを判断することを特徴とする。
【発明の効果】
【０００７】
本発明によれば、画像形成装置への電源供給が開始された時に結露解消動作を実行するか否かを判断することができる。
【図面の簡単な説明】
【０００８】
【図１】画像形成装置の断面図。
【図２】画像形成装置の制御システムのブロック図。
【図３】画像形成装置の電源をＯＦＦ／ＯＮする電源制御動作の説明図。
【図４】ＣＰＵによって実行される画像形成装置の制御動作の流れ図。
【図５】ＣＰＵによって実行される結露解消動作継続判断処理の流れ図。
【図６】ＣＰＵによって実行される結露解消動作合算時間算出処理の流れ図。
【図７】ＣＰＵによって実行される温度監視制御の流れ図。
【図８】ＣＰＵによって実行される結露解消動作実行処理の流れ図。
【図９】従来例と本実施例による例１、例２及び例３の動作を示す図。
【発明を実施するための形態】
【０００９】
（画像形成装置）
図１は、画像形成装置１００の断面図である。図２は、画像形成装置１００の制御システム１１０のブロック図である。図１及び図２を用いて、画像形成装置１００の構成を説明する。画像形成装置１００は、電子写真方式、静電記録方式等の画像形成方式によって記録媒体としての用紙に画像を形成する。図２に示すように、制御部（コントローラ）３００は、制御手段としてのＣＰＵ（中央処理装置）３０１、ＲＡＭ（ランダムアクセスメモリ）３０２、ＲＯＭ（リードオンリーメモリ）３０３及び不揮発性メモリ（記憶部）３１３を有する。ＲＯＭ３０３は、画像形成装置１００の制御プログラムを保存する。不揮発性メモリ３１３は、ＣＰＵ３０１への電源供給が停止された後もデータを保持することが可能である。不揮発性メモリ３１３は、ＲＡＭ３０２に保存されたデータのうちの電源ＯＦＦ／ＯＮ後にも継続して使用されるデータを保存する。
【００１０】
ＣＰＵ３０１は、画像形成部３０８及び各種負荷３１１に電気的に接続されている。各種負荷３１１は、モータ３２１、ファン（送風機）３２２及びヒータ３２３を有する。ＣＰＵ３０１は、指示／表示手段としての操作部３０５に電気的に接続されている。操作部３０５は、図１に示すように、ユーザが情報を入力する際に使用される入力キー群３３１、画像形成動作を開始するためにユーザによって押されるスタートキー３３２を有する。操作部３０５は、また、画像形成動作を中断するためにユーザによって押されるストップキー３３３及び表示手段としての表示部（タッチパネル）３３４を有する。ユーザは、操作部３０５を介してＣＰＵ３０１へプリントジョブの実行や電源操作などの所望の動作を要求することができる。また、ＣＰＵ３０１は、外部機器とのインターフェースである外部Ｉ／Ｆ３０６を介してＰＣ３０７やファクシミリ送受信手段としてのＦＡＸ送受信機３１４に接続可能である。ＣＰＵ３０１は、操作部３０５やＰＣ３０７からのプリント動作開始の指示やスリープモードからの復帰動作の指示を受け、動作を開始する。例えば、ユーザがＰＣ３０７からプリント動作開始を指示すると、ＣＰＵ３０１は、画像形成部３０８及び各種負荷３１１の駆動を制御する。
【００１１】
ＣＰＵ３０１は、回路基板上に実装された温度センサ３０９及びタイマ（計時装置）３１０に電気的に接続されている。温度センサ３０９は、画像形成装置１００の外部の温度を検出する温度検出手段である。タイマ３１０は、現在時刻Ｔｃを取得する時刻取得手段である。温度検出手段としては、回路基板上に実装された温度センサ３０９の代わりに、例えば、操作部３０５又は外部Ｉ／Ｆを介して温度情報を取得する温度情報取得手段であってもよい。時刻取得手段としては、タイマ３１０の代わりに、例えば、操作部３０５又は外部Ｉ／Ｆを介して時刻情報又は経過時間情報を取得する時刻情報取得手段であってもよい。
【００１２】
ＣＰＵ３０１は、画像形成部３０８を制御する。画像形成部３０８は、図１に示すカートリッジ１２０Ｙ、１２０Ｍ、１２０Ｃ、１２０Ｋ、中間転写ベルト（中間転写体）１３０及び一次転写部（一次転写ローラ）１２３Ｙ、１２３Ｍ、１２３Ｃ、１２３Ｋを有する。画像形成部３０８は、更に、二次転写部（二次転写ローラ）１４０及びレーザスキャナ（露光装置）１２２Ｙ、１２２Ｍ、１２２Ｃ、１２２Ｋを含む。ＣＰＵ３０１は、電源制御部３０４に電気的に接続され、電源制御部３０４から電源が供給される。ＣＰＵ３０１は、画像形成装置１００の画像形成部３０８、温度センサ３０９、タイマ３１０及び各種負荷３１１へ必要な電力を供給するために電源制御部３０４を制御する。ＣＰＵ３０１は、リレー３１２に電気的に接続されている。ＣＰＵ３０１は、使用する電源の系統に従ってリレー３１２を制御することによって電源の供給／遮断を切り替えることが可能である。
【００１３】
カートリッジ１２０Ｙ、１２０Ｍ、１２０Ｃ及び１２０Ｋは、画像形成装置１００の本体１０１に取り外し可能に装着されている。カートリッジ１２０Ｙ、１２０Ｍ、１２０Ｃ及び１２０Ｋは、イエロー（Ｙ）、マゼンタ（Ｍ）、シアン（Ｃ）及びブラック（Ｋ）のトナー像を形成する。カートリッジ１２０Ｙ、１２０Ｍ、１２０Ｃ及び１２０Ｋは、同様の構造を有するので、カートリッジ１２０Ｙを説明する。カートリッジ１２０Ｙは、回転する感光体（感光ドラム）１２４Ｙを有する。感光体１２４Ｙの周りには、帯電ローラ（帯電部材）３２Ｙ、現像装置３３Ｙ及び感光体クリーナー３４Ｙが設けられている。現像装置３３Ｙは、イエロートナーを収容するトナー収容容器と現像ローラ（現像部材）とを有する。感光体クリーナー３４Ｙは、感光体１２４Ｙ上に残ったトナーを掻き落とすクリーニングブレードを有する。
【００１４】
＜画像形成動作＞
次に、図１及び図２を用いて、画像形成装置１００における画像形成動作を説明する。ユーザが外部Ｉ／Ｆ３０６に接続したＰＣ３０７からプリントジョブを実行し、ＣＰＵ３０１へプリント動作開始指示が通知されると、ＣＰＵ３０１は、給送カセット１５０又は手差しトレイ１５６から用紙の給送を開始する。ピックアップローラ１５１の駆動源としてのモータ３２１を回転させることによって、ピックアップローラ１５１が回転して給送カセット１５０から用紙が一枚ずつ給送される。このとき、用紙の給送動作が正常に行えたか否かをピックアップセンサ１５２によって監視する。
【００１５】
ＣＰＵ３０１は、二次転写部１４０へ用紙が到着するタイミングに間に合うように、カートリッジ１２０Ｙ、１２０Ｍ、１２０Ｃ、１２０Ｋによって画像形成動作を開始する。感光体１２４Ｙの表面が帯電ローラ３２Ｙによって帯電された後、レーザスキャナ１２２Ｙから照射されるレーザ光（光ビーム）によって感光体１２４Ｙの表面上に静電潜像が形成される。静電潜像は、現像装置３３Ｙによってイエロートナーで現像され、感光体１２４上にイエロートナー像が形成される。感光体１２４Ｙ上のイエロートナー像は、一次転写部１２３Ｙによって一次転写電圧を印加され、中間転写ベルト１３０へ転写される。同様に、カートリッジ１２０Ｍ、１２０Ｃ及び１２０Ｋによってマゼンタトナー像、シアントナー像及びブラックトナー像が形成され、一次転写部１２３Ｍ、１２３Ｃ及び１２３Ｋによって中間転写ベルト１３０へ転写される。中間転写ベルト１３０へ転写されたトナー像は、中間転写ベルト１３０の回転によって、二次転写部１４０へ搬送される。
【００１６】
給送カセット１５０から給送された用紙は、搬送ローラ１５３、１５４及び１５５によってレジストレーションローラ１６１へ搬送される。ＣＰＵ３０１は、レジストレーションセンサ１６０を監視することによって、搬送された用紙の位置を検出する。ＣＰＵ３０１は、レジストレーションセンサ１６０に用紙の先端が到達したタイミングに基づいて、用紙の先端と中間転写ベルト１３０上のトナー像の先端が二次転写部１４０で一致するように用紙の搬送を制御する。例えば、ＣＰＵ３０１は、トナー像に対して用紙が早く二次転写部１４０へ到達すると判断した場合、レジストレーションローラ１６１で用紙を停止させる。その後、ＣＰＵ３０１は、レジストレーションローラ１６１の回転を再開させ、用紙の先端が二次転写部１４０でトナー像の先端と一致するように用紙を搬送させる。ＣＰＵ３０１は、二次転写部１４０へ二次転写電圧を印加し、トナー像を用紙へ転写させる。
【００１７】
トナー像が転写された用紙は、定着器１７０へ搬送される。定着器１７０は、トナー像を用紙に熱定着させ、用紙に画像を形成する。画像が形成された用紙の先端が搬送センサ１７１に到達すると、ＣＰＵ３０１は、操作部３０５又は外部Ｉ／Ｆ３０６を介し接続されたＰＣ３０７から予め指定されたジョブの内容に従ってフラッパ１７２及びフラッパ１９０を切り替えて搬送路を切り替える。具体的には、入力された印刷ジョブにおいて両面印刷が指定されている場合、ＣＰＵ３０１は、用紙を搬送路２３０へ搬送するために、フラッパ１７２の位置を切り替える。片面印刷ジョブにおいて排出トレイ２００へ印刷面を下向きに排出する場合、ＣＰＵ３０１は、用紙を一旦搬送路２３０へ搬送するためにフラッパ１７２の位置を切り替える。その後、用紙を反転して、搬送路２３１へ搬送し、フラッパ１９０の位置を切り替えて用紙を搬送路１８０から排出トレイ２００へ排出する。片面印刷又は両面印刷において排出トレイ１９６へ用紙を排紙する場合、ＣＰＵ３０１は、フラッパ１７２の位置を切り替えて、用紙を搬送路２３１へ搬送する。入力された印刷ジョブにおいて排出トレイ２００へ用紙を排出することが設定されている場合、ＣＰＵ３０１は、フラッパ１７２の位置とフラッパ１８２の位置を切り替えて、用紙を搬送路１８０へ搬送する。
【００１８】
搬送路２３１へ搬送された用紙は、搬送ローラ２３２によって用紙の搬送方向の下流側へ更に搬送される。ジョブの内容に従って、フラッパ１９０の位置が切り替えられ、用紙は、搬送路１８０又は搬送路１８１へ搬送される。印刷ジョブにおいて指定された排出先が排出トレイ２００である場合、用紙は、搬送路１８０へ搬送され、排出トレイ２００へ排出される。ユーザによって指定された排出先が排出トレイ１９６である場合、用紙は、搬送路１８１へ搬送され、排出トレイ１９６へ排出される。なお、上記の画像形成動作は一例であり、本発明は、これに限定されるものではない。
【００１９】
＜電源制御動作＞
次に、図３を用いて、電源制御動作を説明する。図３は、画像形成装置１００の電源をＯＦＦ／ＯＮする電源制御動作の説明図である。図３は、操作部３０５の電源スイッチ３３５のＯＮ／ＯＦＦ状態及びＣＰＵ３０１の通常状態／電源ＯＦＦ状態を示す。ＣＰＵ３０１の通常状態は、電源スイッチ３３５がＯＮされて画像形成装置１００へ通電中の状態を示す。ＣＰＵ３０１の電源ＯＦＦ状態は、電源スイッチ３３５がＯＦＦされて画像形成装置１００が停止している状態を示す。なお、画像形成装置１００の電源のＯＮ／ＯＦＦは、操作部３０５の電源スイッチ３３５に限らず、表示部３３４に表示されるスイッチ又は画像形成装置１００の本体１０１に設けられた電源スイッチ３４０のＯＮ／ＯＦＦによって行われる。
【００２０】
ＣＰＵ３０１は、操作部３０５からの入力信号の状態をポーリングし、ＣＰＵ３０１それ自体の電力状態を判断する。電源スイッチ３３５のＯＮ状態において、ＣＰＵ３０１は、通常状態にある。ＣＰＵ３０１は、ユーザの操作によって操作部３０５からＣＰＵ３０１への入力信号がＯＮからＯＦＦへ切り替わったこと（Ｓ４０１）を検出すると、電源ＯＦＦ状態へ移行する前に電源制御部３０４を操作する。ＣＰＵ３０１は、電源制御部３０４を操作することによってＣＰＵ３０１を除いた画像形成装置１００への電源供給を停止させる。ＣＰＵ３０１を除いた画像形成装置１００への電源供給の停止が完了すると、ＣＰＵ３０１は、ＣＰＵ３０１それ自体への電源供給を停止させ、電源ＯＦＦ状態へ移行する。その後、ユーザの操作によって操作部３０５からの入力信号がＯＦＦからＯＮへ切り替わると（Ｓ４０２）、ＣＰＵ３０１への電源供給が再開される。ＣＰＵ３０１は、ＣＰＵ３０１それ自体への電源供給が開始されると、電源制御部３０４を操作して画像形成装置１００の全体への電源供給を開始し、通常状態へ移行する。
【００２１】
＜画像形成装置の制御動作＞
以下、ＣＰＵ３０１によって実行される画像形成装置１００の制御動作を説明する。図４は、ＣＰＵ３０１によって実行される画像形成装置１００の制御動作の流れ図である。ＣＰＵ３０１は、ＲＯＭ３０３に保存されたプログラムに従って制御動作を実行する。ＣＰＵ３０１に通電され制御動作が開始されると、ＣＰＵ３０１は、画像形成装置１００の全体への電源供給を開始するために電源起動処理を実行する（Ｓ５０１）。ＣＰＵ３０１は、電源の起動が完了すると、結露解消動作継続判断処理を実行する（Ｓ５０２）。結露解消動作継続判断処理の詳細については後述する。ＣＰＵ３０１は、結露解消動作継続判断処理によって判断された結露解消動作残時間Ｔｒｅｍが０より長いか否かを判断する（Ｓ５０３）。結露解消動作残時間Ｔｒｅｍが０より長い場合、結露解消動作の継続が必要である。したがって、結露解消動作残時間Ｔｒｅｍが０より長い場合（Ｓ５０３でＹＥＳ）、ＣＰＵ３０１は、結露解消動作実行処理を行う（Ｓ５０４）。結露解消動作実行処理の詳細については後述する。結露解消動作実行処理が終了すると、ＣＰＵ３０１は、処理をＳ５０５へ進める。結露解消動作残時間Ｔｒｅｍが０以下の場合（Ｓ５０３でＮＯ）、ＣＰＵ３０１は、温度監視制御を実行する（Ｓ５０５）。温度監視制御の詳細については後述する。
【００２２】
ＣＰＵ３０１は、電源状態変化フラグがセットされているか否かを判断する（Ｓ５０６）。電源状態変化フラグは、結露解消動作中に電源状態が変化したために電源をＯＦＦする必要があることを表す。電源状態変化フラグについては後述の結露解消動作実行処理で説明する。電源状態変化フラグがセットされていない場合（Ｓ５０６でＮＯ）、ＣＰＵ３０１は、画像形成要求があるか否かを判断する（Ｓ５０７）。画像形成要求がある場合（Ｓ５０７でＹＥＳ）、ＣＰＵ３０１は、画像形成部３０８及び各種負荷３１１を制御し、画像形成を行う（Ｓ５０８）。画像形成が終了した後、ＣＰＵ３０１は、処理をＳ５０９へ進める。画像形成要求がない場合（Ｓ５０７でＮＯ）、ＣＰＵ３０１は、操作部３０５から電源ＯＦＦ要求があるか否かを判断する（Ｓ５０９）。電源ＯＦＦ要求がない場合（Ｓ５０９でＮＯ）、ＣＰＵ３０１は、処理をＳ５０５へ戻す。一方、電源ＯＦＦ要求がある場合（Ｓ５０９でＹＥＳ）、ＣＰＵ３０１は、処理をＳ５１０へ進める。
【００２３】
電源状態変化フラグがセットされている場合（Ｓ５０６でＹＥＳ）、ＣＰＵ３０１は、次回の電源ＯＮ時に必要なデータを不揮発性メモリ３１３に保存するデータバックアップ処理を実行する（Ｓ５１０）。ＣＰＵ３０１は、例えば、結露解消動作が実行中であることを表す「結露解消動作実行中」、結露解消動作が停止中であることを表す「結露解消動作停止中」等の結露解消動作の動作状況を不揮発性メモリ３１３に保存する。ＣＰＵ３０１は、ＣＰＵ３０１それ自体への電源供給が停止される直前にタイマ３１０から取得した停止時刻を「電源ＯＦＦ前の時刻Ｔｏｆｆ」として不揮発性メモリ３１３に保存する。ＣＰＵ３０１は、ＣＰＵ３０１それ自体への電源供給が停止される直前に「結露解消動作継続時間Ｔ２」を不揮発性メモリ３１３に保存する。結露解消動作継続時間Ｔ２は、結露解消動作が開始された時にタイマ３１０から取得した開始時刻と、電源供給が停止される直前にタイマ３１０から取得した停止時刻とに基づいてＣＰＵ３０１により算出される。その後、ＣＰＵ３０１は、図３を用いて説明した電源制御動作に従って電源停止処理を実行し（Ｓ５１１）、制御動作を終了する。
【００２４】
次に、図５、図６、図７及び図８を用いて、ＣＰＵ３０１によって実行されるサブルーチンを説明する。図５及び図６は、ＣＰＵ３０１によって実行される結露解消動作継続判断処理を示す流れ図である。結露解消動作継続判断処理は、結露解消動作を実行中に画像形成装置１００への電源供給が停止（ＯＦＦ）された後で画像形成装置１００への電源供給が開始（ＯＮ）された時に結露解消動作の残りを実行（継続）すべきか否かを判断する処理である。結露解消動作継続判断処理は、図４のＳ５０２の処理に相当する。図７は、ＣＰＵ３０１によって実行される温度監視制御を示す流れ図である。温度監視制御とは、定期的に機外温度を取得し、その温度勾配を算出することで、結露の発生の有無を判断する制御であり、図４におけるＳ５０５の処理に相当する。
【００２５】
＜結露解消動作継続判断処理＞
図５を参照して、結露解消動作継続判断処理を説明する。図５は、ＣＰＵ３０１によって実行される結露解消動作継続判断処理の流れ図である。結露解消動作継続判断処理が開始されると、ＣＰＵ３０１は、不揮発性メモリ３１３に保存された、電源ＯＦＦ直前の結露解消動作の動作状況を読み出す（Ｓ６０１）。電源ＯＦＦ直前の結露解消動作の動作状況は、前述の図４におけるＳ５１０で、ＣＰＵ３０１の電源が停止する直前に不揮発性メモリ３１３に保存されている。ＣＰＵ３０１は、不揮発性メモリ３１３から読み出した動作状況に基づいて、電源ＯＦＦ前に結露解消動作が実行中であったか否かを判断する（Ｓ６０２）。電源ＯＦＦ前に結露解消動作が実行中でなかった場合（Ｓ６０２でＮＯ）、ＣＰＵ３０１は、結露解消動作継続判断処理を終了する。
【００２６】
電源ＯＦＦ前に結露解消動作が実行中であった場合（Ｓ６０２でＹＥＳ）、ＣＰＵ３０１は、タイマ３１０から現在時刻（再開始時刻）Ｔｃを取得する（Ｓ６０３）。ＣＰＵ３０１は、不揮発性メモリ３１３に保存された電源ＯＦＦ前の時刻（停止時刻）Ｔｏｆｆを取得する（Ｓ６０４）。ＣＰＵ３０１は、Ｓ６０３で取得した現在時刻ＴｃとＳ６０４で取得した電源ＯＦＦ前の時刻Ｔｏｆｆとを比較し、電源ＯＦＦ継続時間（電源供給停止継続時間）Ｔ１を算出する（Ｓ６０５）。電源ＯＦＦ継続時間Ｔ１は、電源がＯＦＦされてから次に電源がＯＮされるまでに経過する時間を表す。具体的には、電源ＯＦＦ継続時間Ｔ１は、例えば、現在時刻Ｔｃと電源ＯＦＦ前の時刻Ｔｏｆｆとの差（Ｔｃ−Ｔｏｆｆ）から求めてもよい。
【００２７】
ＣＰＵ３０１は、電源ＯＦＦ前に実行されていた結露解消動作の実行時間である結露解消動作継続時間Ｔ２を不揮発性メモリ３１３から取得する（Ｓ６０６）。ＣＰＵ３０１は、結露発生時の結露自然解消時間Ｔ３をＲＯＭ３０３から取得する（Ｓ６０７）。ＣＰＵ３０１は、結露発生時に結露解消動作を実行した場合の結露強制解消時間Ｔ４をＲＯＭ３０３から取得する（Ｓ６０８）。ここで、結露解消動作は、画像形成装置１００内に発生する結露を解消するためにＣＰＵ３０１によって実行される動作である。結露自然解消時間Ｔ３は、結露解消動作を実行せずに結露を自然に解消させるために必要な時間であり、予めＲＯＭ３０３に保存されている。結露強制解消時間Ｔ４は、結露解消動作を実行することによって結露を解消させるために必要な時間であり、予めＲＯＭ３０３に保存されている。本実施例では、画像形成装置１００の内部に発生した結露を解消させる結露解消動作を実行する結露解消動作実行手段の一例としてファン３２２を用いた。ファン３２２は、画像形成装置１００内に空気流を形成して画像形成装置１００内の環境を均一化するための環境均一化手段である。結露解消動作実行手段は、ファン３２２に限らず、ＦＡＸ送受信機３１４から受信したファクシミリデータ（ＦＡＸデータ）を不揮発性メモリ３１３に保存するメモリ受信機能へ切り替える結露解消動作を実行してもよい。結露解消動作実行手段は、モータ３２１等のアクチュエータの駆動に伴う空気流の切り替える結露解消動作を実行してもよい。結露解消動作実行手段は、ヒータ３２３の点灯を制御する結露解消動作を実行してもよい。ヒータ３２３は、画像形成装置１００内の温度を調整して画像形成装置１００の内部の環境を均一化するための環境均一化手段である。
【００２８】
ＣＰＵ３０１は、電源ＯＦＦ継続時間Ｔ１、結露解消動作継続時間Ｔ２、結露自然解消時間Ｔ３及び結露強制解消時間Ｔ４を用いて結露解消動作合算時間算出処理を実行する（Ｓ６０９）。結露解消動作合算時間算出処理において、ＣＰＵ３０１は、これまでに実行された結露解消動作の結露解消動作合算時間Ｔｓｕｍを算出する。結露解消動作合算時間算出処理の詳細については後述する。ＣＰＵ３０１は、Ｓ６０９で算出された結露解消動作合算時間Ｔｓｕｍが、結露自然解消時間Ｔ３以上であるか否かを判断する（Ｓ６１０）。結露解消動作合算時間Ｔｓｕｍが結露自然解消時間Ｔ３より小さい場合、電源がＯＦＦされた時から結露が解消されるために十分な時間が経過していないと判断される。したがって、結露解消動作合算時間Ｔｓｕｍが結露自然解消時間Ｔ３より小さい場合（Ｓ６１０でＮＯ）、ＣＰＵ３０１は、途中で停止された結露解消動作の残時間である結露解消動作残時間Ｔｒｅｍを算出する（Ｓ６１１）。結露解消動作残時間Ｔｒｅｍは、結露自然解消時間Ｔ３と結露解消動作合算時間Ｔｓｕｍの差分から算出される。ＣＰＵ３０１は、結露解消動作残時間ＴｒｅｍをＲＡＭ３０２に保存する。ＣＰＵ３０１は、図４のＳ５０４において、結露解消動作残時間Ｔｒｅｍの値に基づき結露解消動作を実行する。一方、結露解消動作合算時間Ｔｓｕｍが結露自然解消時間Ｔ３以上である場合、電源がＯＦＦされた時から結露が解消されるために十分な時間が経過したと判断される。したがって、結露解消動作合算時間Ｔｓｕｍが結露自然解消時間Ｔ３以上である場合（Ｓ６１０でＹＥＳ）、ＣＰＵ３０１は、結露解消動作残時間Ｔｒｅｍをクリアして０に設定する（Ｓ６１２）。
【００２９】
＜結露解消動作合算時間算出処理＞
次に、図６を参照し、図５に示す結露解消動作継続判断処理のＳ６０９における結露解消動作合算時間算出処理を説明する。図６は、ＣＰＵ３０１によって実行される結露解消動作合算時間算出処理の流れ図である。結露解消動作合算時間算出処理が開始されると、ＣＰＵ３０１は、結露発生時の結露自然解消時間Ｔ３が結露解消動作を実行する結露強制解消時間Ｔ４と等しいか否かを判断する（Ｓ７０１）。結露自然解消時間Ｔ３が結露強制解消時間Ｔ４と等しい場合、画像形成装置１００において結露解消動作が実行されても、結露を解消させるために結露解消動作を実行する必要時間は、結露を自然に解消させるために必要な時間に対して短縮されない。この場合、電源ＯＦＦ中の結露自然解消が結露解消に与える寄与度は、結露解消動作の実行が結露解消に与える寄与度と等しい。したがって、結露自然解消時間Ｔ３が結露強制解消時間Ｔ４と等しい場合（Ｓ７０１でＹＥＳ）、ＣＰＵ３０１は、結露解消動作合算時間Ｔｓｕｍの値として、電源ＯＦＦ継続時間Ｔ１と電源ＯＦＦ前の結露解消動作継続時間Ｔ２の合算値を算出する（Ｓ７０２）。すなわち、結露自然解消時間Ｔ３が結露強制解消時間Ｔ４と等しい場合、結露解消動作合算時間Ｔｓｕｍは、Ｔｓｕｍ＝Ｔ１＋Ｔ２によって算出される。
【００３０】
一方、結露自然解消時間Ｔ３が結露強制解消時間Ｔ４と異なる場合、電源ＯＦＦ中の結露自然解消が結露解消に与える寄与度は、結露解消動作の実行が結露解消に与える寄与度と異なる。したがって、結露自然解消時間Ｔ３が結露強制解消時間Ｔ４と異なる場合（Ｓ７０１でＮＯ）、ＣＰＵ３０１は、結露解消動作継続時間Ｔ２に重み付けをして修正結露解消動作継続時間（修正実行時間）Ｔ５を算出する（Ｓ７０３）。具体的には、ＣＰＵ３０１は、結露自然解消時間Ｔ３と結露強制解消時間Ｔ４の比率に基づいて結露解消動作継続時間Ｔ２に重み付けをして修正結露解消動作継続時間Ｔ５を算出する。修正結露解消動作継続時間Ｔ５は、以下の式（１）によって算出される。
Ｔ５ ＝ Ｔ２ × （ Ｔ３ ÷ Ｔ４ ）  ・・・（１）
ＣＰＵ３０１は、結露解消動作合算時間Ｔｓｕｍの値として、電源ＯＦＦ継続時間Ｔ１とＳ７０３で重み付けして算出された修正結露解消動作継続時間Ｔ５との合算値を算出する（Ｓ７０４）。すなわち、結露自然解消時間Ｔ３が結露強制解消時間Ｔ４と異なる場合、結露解消動作合算時間Ｔｓｕｍは、Ｔｓｕｍ＝Ｔ１＋Ｔ５によって算出される。ＣＰＵ３０１は、結露解消動作合算時間算出処理を終了する。
【００３１】
＜温度監視制御＞
次に、図７を参照し、図４のＳ５０５における温度監視制御を説明する。温度監視制御は、画像形成装置１００の外部の温度（以下、機外温度という）を定期的に監視することによって所定時間内の温度勾配を求め、結露解消動作が必要か否か（結露が発生しているか否か）を判断する処理である。図７は、ＣＰＵ３０１によって実行される温度監視制御の流れ図である。
【００３２】
温度監視制御を開始すると、ＣＰＵ３０１は、温度センサ３０９によって検出された機外温度（検出結果）ＴＥＭＰを取得する（Ｓ８０１）。ＣＰＵ３０１は、タイマ３１０から現在時刻ＴＩＭＥを取得する（Ｓ８０２）。これまでに取得した温度情報とその温度情報の取得時刻とからなる温度履歴は、ＲＡＭ３０２に保存されている。ＣＰＵ３０１は、ＲＡＭ３０２から温度履歴を取得する（Ｓ８０３）。ＣＰＵ３０１は、Ｓ８０３で取得した温度履歴から最新の取得時刻を参照し、Ｓ８０２で取得した現在時刻ＴＩＭＥと最新の取得時刻との差分であるＴｌａｐｓを算出する（Ｓ８０４）。ＣＰＵ３０１は、Ｔｌａｐｓが所定値以上であるか否かを判断する（Ｓ８０５）。Ｔｌａｐｓが所定値よりも小さい場合、温度履歴の更新間隔が短すぎる。したがって、ＣＰＵ３０１は、Ｔｌａｐｓが所定値より小さい場合（Ｓ８０５でＮＯ）、温度監視制御を終了する。一方、Ｔｌａｐｓが所定値以上である場合、更新間隔は十分である。したがって、Ｔｌａｐｓが所定値以上である場合（Ｓ８０５でＹＥＳ）、ＣＰＵ３０１は、温度監視制御を継続して処理をＳ８０６へ進める。
【００３３】
ＣＰＵ３０１は、Ｓ８０１で取得した機外温度ＴＥＭＰ及びＳ８０２で取得した現在時刻ＴＩＭＥをＳ８０３で取得した温度履歴に登録する（Ｓ８０６）。ＣＰＵ３０１は、温度履歴に登録された機外温度の最新の取得時刻の前の所定時間内の機外温度を用いて、所定時間内の温度勾配を算出する（Ｓ８０７）。ＣＰＵ３０１は、温度勾配が予め設定された閾値以上であるか否かを判断する（Ｓ８０８）。温度勾配が閾値より小さい場合、結露が発生しない。したがって、温度勾配が閾値より小さい場合（Ｓ８０８でＮＯ）、ＣＰＵ３０１は、温度監視制御を終了する。一方、温度勾配が閾値以上である場合（Ｓ８０８でＹＥＳ）、ＣＰＵ３０１は，結露解消動作実行処理を実行する（Ｓ８０９）。結露解消動作実行処理の後、ＣＰＵ３０１は、温度監視制御を終了する。
【００３４】
＜結露解消動作実行処理＞
次に、図８を参照して、結露解消動作実行処理を説明する。図８は、ＣＰＵ３０１によって実行される結露解消動作実行処理の流れ図である。結露解消動作実行処理は、画像形成装置１００内に結露が発生したと判断された場合に結露を解消するために実行される処理であり、図４におけるＳ５０４及び図７におけるＳ８０９の処理に相当する。結露解消動作実行処理を開始すると、ＣＰＵ３０１は、電源状態に何らかの変化が生じて電源をＯＦＦする必要があることを表す電源状態変化フラグをクリアする（Ｓ９０１）。ＣＰＵ３０１は、結露解消動作を開始する（Ｓ９０２）。結露解消動作の実行中、ＣＰＵ３０１は、電源状態に何らかの変化が生じて電源をＯＦＦする必要があるか否かを判断する（Ｓ９０３）。ここで、電源状態に何らかの変化が生じて電源をＯＦＦする必要がある場合は、例えば、瞬間的な停電状態になり電源制御部３０４の電圧低下が検出された場合、操作部３０５から電源ＯＦＦの要求を受けた場合等である。電源状態に何らかの変化が生じて電源をＯＦＦする必要があると判断した場合（Ｓ９０３でＹＥＳ）、ＣＰＵ３０１は、電源状態変化フラグをセットする（Ｓ９０４）。ＣＰＵ３０１は、結露解消動作を終了し（Ｓ９０６）、結露解消動作実行処理を終了する。一方、電源状態に変化が無い場合（Ｓ９０３でＮＯ）、ＣＰＵ３０１は、結露解消動作の実行時間が所定時間を経過したか否かを判断する（Ｓ９０５）。ここで、所定時間は、結露解消動作実行処理が図４におけるＳ５０４から呼び出された場合、結露解消動作残時間Ｔｒｅｍであり、図７におけるＳ８０９から呼び出された場合、結露強制解消時間Ｔ４である。結露解消動作の実行時間が所定時間を経過していない場合（Ｓ９０５でＮＯ）、ＣＰＵ３０１は、処理をＳ９０３へ戻して結露解消動作を継続する。結露解消動作の実行時間が所定時間経過した場合（Ｓ９０５でＹＥＳ）、ＣＰＵ３０１は、結露解消動作を終了し（Ｓ９０６）、結露解消動作実行処理を終了する。
【００３５】
＜従来例との対比＞
以下、従来例と本実施例による例１、例２及び例３との対比を説明する。図９は、従来例と本実施例による例１、例２及び例３の動作を示す図である。図９において、Ｓ１００１、Ｓ１００２、Ｓ１００３及びＳ１００４はイベントを表し、Ｓ１００５、Ｓ１００６、Ｓ１００７、Ｓ１００８、Ｓ１００９及びＳ１０１０は画像形成装置１００の状態を表す。イベント及び画像形成装置１００の状態については後述する。
【００３６】
＜＜従来例＞＞
まず、図９（ａ）を参照して、従来例の動作を説明する。図９（ａ）は、本実施例を適用しない従来例の動作を示す図である。従来例において、結露解消動作を実行しない結露自然解消時間Ｔ３は１２０分に設定され、結露解消動作が実行されたときの結露強制解消時間Ｔ４は９０分に設定されている。ＣＰＵ３０１が結露解消動作指示（Ｓ１００１）を出すと、画像形成装置１００は所定の結露解消動作を行うための結露解消動作中（Ｓ１００５）の状態へ移行する。結露解消動作中にユーザの操作等によってＣＰＵ３０１が電源ＯＦＦ（Ｓ１００２）を検出すると、ＣＰＵ３０１は画像形成装置１００への電源供給を停止し、画像形成装置１００は、電源が切られた状態である電源ＯＦＦ（Ｓ１００６）の状態へ移行する。その後、電源ＯＮ（Ｓ１００３）によってＣＰＵ３０１への電源が投入されると、従来例では電源ＯＮ後に結露解消動作継続判断処理が行われず、画像形成装置１００は図７で説明した温度監視制御を行う状態である温度監視中へ移行する（Ｓ１００７）。ここで、温度監視制御において算出される温度勾配は、一例として７０分の所定時間内の温度履歴（データ）から判断されるものとする。したがって、電源ＯＮ（Ｓ１００３）から温度監視制御によって結露解消動作の実行の要否が判断されるまでには、最大で７０分かかる。温度監視制御が終了すると、ＣＰＵ３０１は結露の発生の有無を判断し、結露が発生している場合に結露解消動作を実行する（Ｓ１００８）。しかし、温度監視中（Ｓ１００７）の状態においてＣＰＵ３０１は結露が発生しているという判断ができないので、画像形成装置１００はプリントジョブを受け付けられる状態になる。そのため、実際には結露が発生している場合に画像品質を保つことができないおそれがある。
【００３７】
＜＜例１＞＞
次に、図９（ｂ）を参照して、本実施例による例１の動作を説明する。図９（ｂ）は、本実施例による例１の動作を示す図である。例１において、結露自然解消時間Ｔ３は結露強制解消時間Ｔ４と等しく、結露自然解消時間Ｔ３と結露強制解消時間Ｔ４は共に１２０分に設定されている。ＣＰＵ３０１が結露解消動作指示（Ｓ１００１）を出すと、画像形成装置１００は、結露解消動作中（Ｓ１００５）の状態へ移行する。結露解消動作の開始から６０分経過後に結露解消動作中にユーザの操作等によってＣＰＵ３０１が電源ＯＦＦ（Ｓ１００２）を検出すると、画像形成装置１００は電源ＯＦＦ（Ｓ１００６）の状態へ移行する。したがって、例１において、電源ＯＦＦ前の結露解消動作継続時間Ｔ２は、６０分である。電源がＯＦＦされてから３０分経過後に電源ＯＮ（Ｓ１００３）によってＣＰＵ３０１への電源が投入されると、ＣＰＵ３０１は結露解消動作継続判断処理を実行する。したがって、例１において、電源ＯＦＦ継続時間Ｔ１は、３０分である。
【００３８】
例１において、結露自然解消時間Ｔ３は結露解消動作実行時の結露強制解消時間Ｔ４と等しいので、結露解消動作残時間Ｔｒｅｍは、以下の式（２）によって計算される。
Ｔｒｅｍ ＝ Ｔ３ − （ Ｔ２ ＋ Ｔ１ ）  ・・・（２）
式（２）に値を代入するとＴｒｅｍ＝１２０−（６０＋３０）＝３０となり、結露解消動作残時間Ｔｒｅｍは３０分である。例１において、ＣＰＵ３０１は、電源がＯＮされた時から３０分だけ結露解消動作を実行する必要がある。図９（ｂ）に示すように、電源ＯＮ（Ｓ１００３）後の結露解消動作中（Ｓ１００９）の状態において、結露解消動作残時間Ｔｒｅｍの３０分間の結露解消動作が実行される。その後、画像形成装置１００は、プリントＯＫ（Ｓ１０１０）の状態へ移行する。結露解消動作によって結露が解消されているので、画像形成装置１００は、正常にプリントジョブを実行できる。したがって、従来例では結露による画像品質の低下が発生するか否かが不明な期間があったが、例１によれば、そのような不明な期間をなくすことができる。例１は、結露解消動作残時間Ｔｒｅｍが０より大きい場合を示しているが、電源ＯＦＦ継続時間Ｔ１が十分に長い場合、すなわち、Ｔ３−（Ｔ２＋Ｔ１）が０以下である場合、結露解消動作残時間Ｔｒｅｍが０に設定される。
【００３９】
＜＜例２＞＞
次に、図９（ｃ）を参照して、本実施例による例２の動作を説明する。図９（ｃ）は、本実施例による例２の動作を示す図である。例２において、結露自然解消時間Ｔ３は結露強制解消時間Ｔ４と異なり、結露自然解消時間Ｔ３は１２０分に設定され、結露強制解消時間Ｔ４は９０分に設定されている。例２は、結露解消動作残時間Ｔｒｅｍが０より大きい場合を示している。ＣＰＵ３０１が結露解消動作指示（Ｓ１００１）を出すと、画像形成装置１００は、結露解消動作中（Ｓ１００５）の状態へ移行する。例２において、電源ＯＦＦ前の結露解消動作継続時間Ｔ２は例１と同様に６０分であり、電源ＯＦＦ継続時間Ｔ１も例１と同様に３０分である。
【００４０】
例２において、結露自然解消時間Ｔ３は結露解消動作実行時の結露強制解消時間Ｔ４と異なるので、結露解消動作残時間Ｔｒｅｍは、以下の式（３）によって計算される。
Ｔｒｅｍ ＝ Ｔ３ − （ Ｔ５ ＋ Ｔ１ ）  ・・・（３）
ここで、修正結露解消動作継続時間Ｔ５は、式（１）に値を代入してＴ５＝６０×（１２０÷９０）＝８０となり、８０分である。式（３）に値を代入するとＴｒｅｍ＝１２０−（８０＋３０）=１０となり、結露解消動作残時間Ｔｒｅｍは１０分である。したがって、ＣＰＵ３０１は、電源がＯＮされた時から１０分だけ結露解消動作を実行する必要がある。例２のように結露自然解消時間Ｔ３が結露強制解消時間Ｔ４と異なる場合、例１のように結露自然解消時間Ｔ３が結露強制解消時間Ｔ４と等しい場合と較べて、電源ＯＮ後に結露解消動作を実行する時間が短縮される。図９（ｃ）に示すように、電源ＯＮ（Ｓ１００３）後の結露解消動作中（Ｓ１００９）の状態において、結露解消動作残時間Ｔｒｅｍの１０分間の結露解消動作が実行される。その後、画像形成装置１００は、プリントＯＫ（Ｓ１０１０）の状態へ移行する。結露解消動作によって結露が解消されているので、画像形成装置１００は、正常にプリントジョブを実行できる。したがって、例２によれば、例１と同様に、結露による画像品質の低下が発生するか否かが不明な期間をなくすことができる。
【００４１】
＜＜例３＞＞
次に、図９（ｄ）を参照して、本実施例による例３の動作を説明する。図９（ｄ）は、本実施例による例３の動作を示す図である。例２と同様に例３においても、結露自然解消時間Ｔ３は結露強制解消時間Ｔ４と異なり、結露自然解消時間Ｔ３は１２０分に設定され、結露強制解消時間Ｔ４は９０分に設定されている。しかし、例３は、例２と異なり、結露解消動作残時間Ｔｒｅｍが０である場合を示している。すなわち、例１及び例２においては電源ＯＮ後に結露解消動作が必要であるが、例３においては電源ＯＮ後に結露解消動作が必要ではない。ＣＰＵ３０１が結露解消動作指示（Ｓ１００１）を出すと、画像形成装置１００は、結露解消動作中（Ｓ１００５）の状態へ移行する。例３において、電源ＯＦＦ前の結露解消動作継続時間Ｔ２は例１と同様に６０分であるが、電源ＯＦＦ継続時間Ｔ１は、例２よりも長く４０分以上である。
【００４２】
例３において、修正結露解消動作継続時間Ｔ５は、例２と同様に８０分である。しかし、電源ＯＦＦ継続時間Ｔ１は、例２よりも長く４０分以上であるので、例えば、電源ＯＦＦ継続時間Ｔ１を４０分として式（３）に値を代入するとＴｒｅｍ＝１２０−（８０＋４０）＝０となり、結露解消動作残時間Ｔｒｅｍは０分である。したがって、画像形成装置１００内の結露は既に解消されていると判断される。ＣＰＵ３０１は、電源がＯＮされた後に結露解消動作を実行する必要がない。図９（ｄ）に示すように、電源ＯＮ（Ｓ１００３）の後に結露解消動作を実行せずに、画像形成装置１００は、すぐにプリントＯＫ（Ｓ１０１０）の状態へ移行する。既に結露が解消されているので、画像形成装置１００は、正常にプリントジョブを実行できる。したがって、例３によれば、例１及び例２と同様に、結露による画像品質の低下が発生するか否かが不明な期間をなくすことができる。
【００４３】
本実施例によれば、結露解消動作中に画像形成装置１００の電源ＯＦＦ／ＯＮが行われた場合においても、電源ＯＦＦ前に実行された結露解消動作の実行時間と電源ＯＦＦの継続時間とに基づいて、電源ＯＮ後に結露解消動作の継続が必要か否かを判断できる。判断結果に基づいて結露解消動作の継続が必要である場合、結露解消動作の継続が実行される。これにより、追加のセンサ等のコストをかけることなく電源ＯＮ後の結露解消動作の必要性の有無を判断できる。本実施例によれば、結露解消動作中に電源がＯＦＦされた場合であっても、次に電源がＯＮされたときに必要な時間分の結露解消動作を実行することができる。よって、電源ＯＮ直後に結露による画像品質の低下が発生するか否かが不明な期間をなくすことができる。本実施例によれば、画像形成装置１００への電源供給が開始された時に結露解消動作を実行するか否かを判断することができる。
【符号の説明】
【００４４】
１００・・・画像形成装置
３０１・・・ＣＰＵ（制御手段）
３０８・・・画像形成部
３０９・・・温度センサ（温度検出手段）
３１０・・・タイマ（時刻取得手段）
３１３・・・不揮発性メモリ（記憶部）
【図１】
2020008771.tif 000003
【図２】
2020008771.tif 000004
【図３】
2020008771.tif 000005
【図４】
2020008771.tif 000006
【図５】
2020008771.tif 000007
【図６】
2020008771.tif 000008
【図７】
2020008771.tif 000009
【図８】
2020008771.tif 000010
【図９】
2020008771.tif 000011